(57)【要約】【課題】ペーパーの引き出し操作によってペーパーロール本体の回転制御を自在に行い、ロールペーパーの切断を容易にする、ペーパーロール回転制御装置を提供する。【解決手段】動径可能な連結支点を有するアーム3に支持される摩擦抵抗素材から成る回転自在のローラー2を、引き出すペーパーとペーパーロール1との間にその外周面に接するよう並列に挟持介在させ、その介在ローラー2の逆転摩擦抵抗によりペーパーロール1の回転が制御されることによってロールペーパーの切断操作が容易となる。又、上部抑えカバーの無いペーパーホルダーに装備使用の場合、切断時のローラー2の反作動抑制とロールペーパーの形状変化を防止するために、ローラー2の外側に反作動抑制機能を有するローラー7を並列付設した。【選択図】図4
2007089849.tif 000002
【特許請求の範囲】
【請求項１】
動径可能な連結支点を有するアーム3に支持されるゴム質等の摩擦抵抗素材から成る回転自在のローラー2を、引き出すペーパーと連動して回転するペーパーロール1との間にその外周面に並列に接するよう挟持介在させ、ペーパー引き出しの方向操作により変動する介在ローラー2の逆転摩擦抵抗によって、ペーパーロール1の回転を制御し停止させることを特徴とするペーパーロール回転制御装置。（図3参照）
【請求項２】
請求項1記載の回転制御装置において、ローラー2と同等機能を備えた回転自在のローラー7を、さらにローラー2の動径軌道の外側に相互の回転運動を妨げない範囲で動径可能に並列付設することにより、切断直後のローラー7の荷重Ｇによって生ずる摩擦抵抗作用でローラー2の反作動及びロールペーパーの形状変化を抑制することを特徴とする反動抑制装置。（図6参照）
【発明の詳細な説明】
【技術分野】
【０００１】
本発明は、ロールペーパーの切断を片手操作で行なうのに不可欠なペーパーロール本体の回転制御と停止技術に関する。
【背景技術】
【０００２】
従来、ロールペーパーのカット装置に関する技術では片手でペーパーを引き出し、もう一方の手で上部のカバーや他の付属するものをペーパーロールに押しつけてその回転を停止させつつ、引き出したペーパーの必要量分を引き切る方法がとられている。しかし、片手が塞がっている時や濡れ手の場合、又、身体に障害があり片手が不自由な人にとっては、非常に困難な作業であり不都合な場合が多かった。
【０００３】
その解決方法として、一方の手で押さえる代わりに、引き出すペーパーやペーパーロールに平面摩擦による適度の負荷を与え、付設された切断具等を利用して片手操作でカットする装置が数多く考案され開示されている。
【特許文献１】特開2005−111286号は上部カバーに開けた貫通口にペーパーを通すなどの使用セットにあたって細かな作業を要する。
【特許文献２】特開2005−074183号は手動装置など付属部品の操作が多く非日常的で特異性が目立つ。
【特許文献３】特開2005−218848号はペーパーロール本体に手が触れる等の濡れ手での使用に不具合が生じる。
【発明の開示】
【発明が解決しようとする課題】
【０００４】
日常必需品として多様的に使用されているロールペーパーには、その性格上、使用条件への制限を最小限に抑えて安定性と普遍性の両立を可能とするユニバーサル要素が求められる。しかしながら、前項の背景技術に開示されている対応技術ではペーパーの切断操作に必要な抵抗力を確保する方法として、ペーパーロール本体や引き出すペーパーに障害物を接触させてその平面摩擦から得られる負荷の程度に頼っており、ペーパーの引っ張り強度とその引き出し速度や付設装置の加圧力、及びその接触面材の摩擦抵抗力等の諸条件によって、ペーパーに加わる負荷力が左右されてその技術の効力が不安定に成らざるを得ない等、課題要素の安定性に欠ける問題がある。又、前項の背景技術に開示されているロールペーパーを片手操作で切断使用する方法及びその装置では、いずれの場合も使用条件が特定された仕様要素が多く、その使用方法や手順が特異的に成らざるを得ない為に凡庸性がなくなり、既存のペーパーホルダーへの装着対応性が無い等、課題要素の普遍性に欠ける問題がある。
【０００５】
そこで本発明は、平面摩擦に頼らずペーパーロールに接触回転する介在摩擦抵抗ローラーの逆転摩擦抵抗によって、ペーパーロール本体の回転を完全に制御し停止させる技術でこの課題を解決するものである。ロールペーパーを引き出す方向操作によりペーパーロール本体の回転の制御及び停止を自在に行えることで、ミシン目加工や付属する切断具等を利用したロールペーパーの切断操作が容易となり安定使用が可能となる。又、使用条件を特定しない普遍性を有し既設ペーパーホルダーへの機能追加パーツとしての取り付けも可能で装着後の既設デザインに違和感を与えず、片手操作によるロールペーパーの補充及びその使用方法においても、シンプルで安定した操作性を有する等のユニバーサル要素を備えた装置を提供することを目的とする。
【課題を解決するための手段】
【０００６】
請求項1記載の回転制御装置は図1にみられるように、回転自在にセットされたロールペーパーの使用において、引き出そうとするペーパー5とペーパーロール1との間に、ゴム質等の摩擦抵抗素材で構成された回転自在のローラー2をペーパーロール1の外周面に接するように挟持介在させ、ロールペーパーの下方向引き出し角度によって変動するローラー2の逆転摩擦抵抗を応用しペーパーロール1の回転を制御するものであり、ペーパーロール1の幅相当の長さでその幅方向に並列して付設されるローラー2は、動径可能な連結支点を有するアーム3によって支持されている。
【０００７】
本発明、請求項1記載の回転制御装置の作動及び基本機能は図2に示すように、介在するローラー2はロールペーパーの使用に従って随時変化縮小していくペーパーロール1の外周面に接触しながら、その荷重によって連結支点4を基点とする動径軌道Ｒ上をペーパーロール1の支持軸11に向かう。この場合、ローラー2の動径軌道は大きいほどローラー2のペーパーロール1の外周部に接する位置が低くなりペーパー引き出し時の操作性は向上する。支点4の設定位置に関係なく、その最大許容値としてのローラー2の動径軌道Ｒはペーパーロール1の支持軸11の外縁部を外さない範囲となる。回転制御の基本機能は図3で示すように、ペーパーの引き出し操作に連動してペーパーロール1はＡ方向へ回転し、その外周面に並列接触しているローラー2は当然B方向へ回転する。引き出し方向がほぼ水平方向5の場合はローラー2に掛かる負荷が少ないため、逆方向Cへの回転力は弱くＣ＜Ｂとなるのでローラー2は適度の負荷を受けながらもＢ方向へ回転して停止せず、ペーパーロール1も潤滑にＡ方向への回転を続けるため抵抗なくペーパーを引き出すことが出来る。しかし、引き出し方向が下方向6へ変化した場合、ローラー2への負荷が増加してローラー2の逆転方向Cへの回転力が強くなる。その結果、自らの逆転摩擦抵抗の相殺作用によってＣ＝Ｂとなりローラー2はその回転を完全に停止し、ローラー2と連動してＡ方向へ回転していたペーパーロール1の回転も制御されて停止に至る。よって、引き出したペーパーはミシン目や付属の切断具等を利用して容易にその切断操作を行なう事が可能となる。
【０００８】
しかし、上部に抑えカバーの無いホルダーに装備使用の場合、切断時のペーパーの開放反動によりローラー2に微小な反作動が生ずる。又、風等の影響により切り残りペーパーの形状が変化して使用上の不都合が生じる場合がある。請求項2記載の反動抑制装置は、これら問題を解決するために請求項1への付設装置として考案されたものである。図4に示すようにローラー2と同等機能を有する摩擦抵抗素材から成る回転自在のローラー7をローラー2の動径軌道Ｒの外側に相互の回転運動を妨げない範囲に並列付設する。その使用方法はローラー2とローラー7との間からロールペーパーを引き出し前項同様に使用する。装置の概要は図5に見られるように、そのアーム8はアーム3に動径可能に連結9されているが、相互が回転自在でその回転を妨げない間隔を保ち動径可能であれば、アーム8の連結位置及びその方法形状を限定する必要性は無い。この反作動抑制の基本機能は図6に示すように、引き出し操作が水平方向5の場合は外側に付設したローラー7の荷重によって、引き出したペーパーとローラー2に適度な負荷が掛かりペーパーロール1の空転を防止する。この場合のローラー7の回転は引き出し方向に添った順回転のために引き出し操作を阻害しない。又、下方向6の操作によるペーパー切断直後にローラー7の荷重Ｇにより切り残りペーパーとペーパーロール1に対する抑え機能が働き、その負荷によってローラー2への摩擦抵抗が生じて反作動が抑制される。この反作動抑制機能により上部抑えのペーパーホルダーカバーが不要となる。
【発明の効果】
【０００９】
本発明、請求項1記載の回転制御装置は、摩擦抵抗素材から成るローラー2をその二枚のペーパー間に挟み込む事によって生じる摩擦抵抗力を用いて、ロール本体の回転を制御し停止に至らしめるものであり、その停止能力はペーパーを引き出す力とそのペーパーの引っ張り強度及びローラー2の摩擦抵抗力に比例し、そのペーパー切断力はローラー2を支持するアーム3の強度及びその連結支点4の保持力により保障される。以上の条件整備によって、引っ張り強度の異なるロールペーパーへの適応が可能となる。
【００１０】
請求項2記載の反動抑制装置は、上部抑えカバーの無いペーパーホルダーに装着使用する際、ローラー2の反作動を抑制すると共に自然風や扇風機等で生ずるロールペーパーの形状変化防止などに有効な装置である。この装置の付設によって上部抑えのホルダーカバーが不要となり、従来のロールペーパーホルダーへのイメージが一新されてデザインに自由性が生まれることにより、使用ジヤンルが多様化してインテリア性が高くなる。
又、本発明の装置は、安定した高い回転停止能力とシンプルな操作性を有する特徴により、特にミシン目入りロールペーパーの場合は軽微な操作で安全性の高い切断操作が容易となり、その切り残す長さも任意で他者への配慮も自在である。その機能効果として、濡れ手での使用頻度が多いキッチンや幼児保育、又、療養及び介護現場・病室・研究室等のあらゆる条件下においても、その利便性と安全性による多目的なユニバーサル用途の拡大が予測される。
【００１１】
既製のロールペーパーホルダーはキッチン用・トイレ用の2用途が大半であり、それぞれのホルダーのサイズもそのロールペーパーの幅と共にほぼ統一されている。本発明はその既存デザイン製品への追加機能パーツとしての装備可能な生産性を有する。例えば、本装置のアーム3の支点4をローラー2の動径軌道Ｒとペーパーロール本体の支持軸11とが重なるように適正位置を定め付設装備することによって、既存製品ホルダーの現行デザインを阻害することなくローコストによる高付加価値化が可能となる。又、本発明の装置は、そのシンプルな構造によって使用手順及びその操作が容易で熟練を要しない普遍性を有するだけでなく、使用中の既設ペーパーホルダーへの付設も現ホルダーの追加パーツとして軽微な作業で取り付け可能な場合が多く経済性と市場対応性を有している。又、既設デザインに違和感を与えることもなくその使用条件を問わないなどの普遍性があり、特にミシン目加工のロールペーパー使用によってその安定した効力と機能性がより明確に発揮される。（図7、8参照）
【発明を実施するための最良の形態】
【００１２】
図2は、請求項1記載の回転制御装置の作動断面図であって、ローラー2の動径軌道Ｒがペーパーロール1の支持軸11に重なる条件下でペーパーロール1の外周面にローラー2が並列接触している限りその機能は有効である。この場合のローラー2の動径軌道Ｒはペーパーロール1の支持軸11を外さない範囲でその動径が大きいほど、ペーパーの引き出し有効角度5がより水平以下となりその操作性が良好となる。（図2参照）
【００１３】
図5は、請求項2記載の反作動抑制装置の姿図であって、多様的で安全性を有しながらシンプルであることを基本に試作考案された実物のイラストである。実例としての試作品における構成素材は、合成ゴムチューブ・アクリルパイプ・ステンレス硬線を使用しその延長線は本装置のアームを成している。又、4及び9の支点連結の形状等の諸条件に関しては多様性を考慮し動径可能であること以外は特定していない。（図5参照）
【００１４】
図6は、請求項2記載の反作動抑制装置の作動図であって、ローラー2とローラー7はロールペーパーの使用に不可欠な引き出し操作が円滑であることと、空回り防止のための一定の負荷を必要とする矛盾した両面機能を備えている。その有効条件は、ローラーの回転が自在であり適度な荷重を有している事。又、その直径が必要量の摩擦力を発揮し得る接触面積を有しその範囲内で適度に小径である事。尚、これらの諸条件の設定は、用途によって異なるロールペーパーの対切断張力に応じて可能である。（図6参照）
【図面の簡単な説明】
【００１５】
【図１】回転制御装置イメージ図である。
【図２】回転制御装置作動断面図である。
【図３】回転制御ローラー2の機能図である。
【図４】反作動抑制装置付設イメージ図である。
【図５】反作動抑制装置姿図である。
【図６】反作動抑制機能断面図である。
【図７】上部カバー付きホルダーへの装着イメージ図である。
【図８】上部カバー無しキッチンペーパー用ホルダーへの装着イメージ図である。
【符号の説明】
【００１６】
1  ペーパーロール
2  回転制御摩擦抵抗ローラー
3  ローラー2のアーム
4  アーム3の連結支点
5  ペーパー引き出し操作（水平方向）
6  ペーパー回転制御操作（下方向）
7  反作動抑制摩擦抵抗ローラー
8  ローラー7のアーム
9  アーム8の連結部
10  上部抑えホルダーカバー
11  ペーパーロールの支持軸
Ａ  ペーパーロールの回転方向
Ｂ  引き出し操作（水平方向5）の場合のローラー2の回転方向
Ｃ  回転制御操作（下方向6）の場合のローラー2の逆転方向。
Ｒ  ローラー2の動径軌道、
Ｇ  ローラー7の荷重。
Ｘ  ペーパーのミシン目。
【図１】
2007089849.tif 000003
【図２】
2007089849.tif 000004
【図３】
2007089849.tif 000005
【図４】
2007089849.tif 000006
【図５】
2007089849.tif 000007
【図６】
2007089849.tif 000008
【図７】
2007089849.tif 000009
【図８】
2007089849.tif 000010